(57)【特許請求の範囲】
【請求項１】
複数のボールペン筆記体を軸筒内に搭載して、選択的に夫々の筆記先端部を軸筒の先端口から交互に出没可能とした複式筆記具に於いて、軸筒に対し回転のみ可能に止着された操作体と、操作体の内周又は軸筒後方の内周に設けた螺旋溝にボールペン筆記体のインキ収容管に一体に形成した摺動突部を係合させると共に、前記螺旋溝を設けない側の軸筒又は操作体と前記ボールペン筆記体を軸方向のみ可動するように設けて、軸筒に対し操作体を回転することでそれぞれのボールペン筆記体が前後動可能となり、又、インキ収容管のインキ収容部は略非変形で、且つ軸内に揺動なく嵌挿されるものであって、インキ収容部と筆記先端部を接続する部位がフレキシブルに変位可能な屈曲可能部で形成されたことを特徴とする複式筆記具。
【請求項２】
軸筒の後方に筒部が延設されて、その筒部周面には後端に開口する軸方向のスリット部が形成され、それぞれのスリットにボールペン筆記体に設けた摺動突部が嵌挿されて、又、操作体の内周に螺旋溝が形成され、その螺旋溝に更に摺動突部が係合されて成る上記請求項１記載の複式筆記具。
【請求項３】
軸筒の後端孔に軸筒に対し回転のみ可能に止着される前方にスリット部を備えた操作体と、そのスリット部を貫通し更に軸筒の内周に設けた螺旋溝にボールペン筆記体に設けた摺動突部が係合されて成る上記請求項１記載の複式筆記具。
【請求項４】
後方部内周に螺旋溝が形成された軸筒と、後方部内周に縦溝が形成された操作体と、摺動突部とガイド突部を一体に備えた複数のボールペン筆記体とで構成されて、軸筒内にボールペン筆記体が嵌挿されると共に軸筒後方部外周に操作体が回転のみ可能に止着され、前記螺旋溝に摺動突部が、縦溝にガイド突部が係合されて成る上記請求項１記載の複式筆記具。
【請求項５】
操作体の一側面に基部が固定されて軸筒の前方に向かって配設されたクリップと、クリップの先方部に係止部を備えた玉部が設けられ、該玉部と対接する軸筒周面の所定位置に係止部を備えた膨出部が設けられて、操作体を回転して筆記先端部が軸筒の先端口から突出した状態位置のみにおいて、クリップの玉部と膨出部の係止部が相互に係合してクリップの玉部が軸筒面から離反しないように構成されたことを特徴とする上記請求項１〜４記載の複式筆記具。
【請求項６】
上記ボールペン筆記体は、先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成された請求項１〜５記載の複式筆記具。
【請求項７】
上記ボールペン筆記体は、先端ボールがチップ先端のボール抱持部の内縁に常時は押圧して密接し、筆記時には密接状態が解除されるように設けられたスプリングを有することから成る請求項６記載の複式筆記具。
【請求項８】
上記ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る請求項７記載の複式筆記具。
【発明の詳細な説明】
【０００１】
【産業上の利用分野】
本発明は、複数のボールペン筆記体を搭載した複式筆記具の改良に関する。
【０００２】
【従来の技術】
一般に、シャープペンシルやボールペン等の複数の筆記体を搭載して、軸先から選択的にその筆記先端部を出没可能とした複式筆記具が知られている。
【０００３】
又、水性ボールペンは、粘度が数ｍＰａ・Ｓ以下の低粘性である為、軽い筆記圧で書けることが利点であり、書き味が良好である特徴がある。しかしながら、インキがペン先からだらだらと流れ出る直流現象や、反対にボールペンの先から空気が流入してインキが流出する逆流現象などが起こり易い欠点がある。これらの現象は中綿と称する繊維の収束体などを用いて防止する方法がとられている。
【０００４】
一方、従来知られている油性ボールペンは、それに使用するインキが粘度が数千ｍＰａ・Ｓ以上の高粘度のために、ペン先からインキが流出する際にボールが回転する時の抵抗が大きいため書き味が悪い欠点がある。又、筆記の際に先端から流出するインキ量は少なく、ボテ現象があり、筆記描線のムラがあり筆跡濃度が薄いこと、高い筆記圧が必要なことなどの問題がある。
【０００５】
この油性ボールペンの改良として、最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。
又、油性ボールペンの改良として、耐乾燥性に優れた低粘度の油性インキを用いたボールペンが考えられる
【０００６】
上記、中粘度の水性インキ、低粘度の油性インキを用いたボールペンは何れも低粘性であることからチップ側を下向きにした場合に先端ボールとチップ抱持部の隙間が生じるとインキが滲みでる直流問題や上向き筆記や衝撃等でインキが逆流しやすい現象がある。インキが逆流や直流を起こすと衣類などを汚す危険がある。又、筆記具に搭載して、その筆記先端部が突出したまま胸ポケット等に差した場合に、衣服を汚損するという問題がある。
【０００７】
【発明が解決しようとする課題】
本発明の目的は、筆記先端部の耐乾燥性が維持されてシールキャップを外して放置することができ、インキの直流や逆流を防止可能とする機構を有する中粘度の水性、低粘度の油性ボールペンの筆記体を構成し、大形で非変形となるボールペン筆記体を複数本搭載して、
筆記先端部がスムーズに出没可能であり、又、筆記先端部が突出したままでは胸ポケット等に差せないように成して、筆記先端部の突出状態が容易に認知されることで衣服等を汚損する心配のない複式筆記具を単純な構造で安価に提供可能とする。
【０００８】
【課題を解決するための手段】
本発明は複数のボールペン筆記体を軸筒内に搭載して、選択的に夫々の筆記先端部を軸筒の先端口から交互に出没可能とした複式筆記具に於いて、軸筒に対し回転のみ可能に止着された操作体と、操作体の内周又は軸筒後方の内周に設けた螺旋溝にボールペン筆記体のインキ収容管に一体に形成した摺動突部を係合させると共に、前記螺旋溝を設けない側の軸筒又は操作体と前記ボールペン筆記体を軸方向のみ可動するように設けて、軸筒に対し操作体を回転することでそれぞれのボールペン筆記体が前後動可能となり、又、インキ収容管のインキ収容部は略非変形で、且つ軸内に揺動なく嵌挿されるものであって、インキ収容部と筆記先端部を接続する部位がフレキシブルに変位可能な屈曲可能部で形成されて成る。
【０００９】
又、操作体の一側面に基部が固定されて軸筒の前方に向かって配設されたクリップと、クリップの先方部に係止部を備えた玉部が設けられ、該玉部と対接する軸筒周面の所定位置に係止部を備えた膨出部が設けられて、操作体を回転して筆記先端部が軸筒の先端口から突出した状態位置のみにおいて、クリップの玉部と膨出部の係止部が相互に係合してクリップの玉部が軸筒面から離反しないように構成されて成る。
【００１０】
又、ボールペン筆記体は、先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて成る。
又、上記ボールペン筆記体は、先端ボールがチップ先端のボール抱持部の内縁に常時は押圧して密接し、筆記時には密接状態が解除されるように設けられたスプリングを有することから成る。
又、上記ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る。
【００１１】
【実施例】
先ず、図１乃至図４は本発明の第１の実施例を示している。図１に於いて、２本のボールペン筆記体１ａ、１ｂが設けられている。
本発明の意図する複式筆記具は、所謂剪断減粘性を有した中粘度の水性、又は低粘度の油性ボールペンインキが充填されたボールペン筆記体や、大容量のインキを搭載した通常の油性ボールペン筆記体などが必要に応じて組み合わされて用いられるものである。
【００１２】
先ず、本発明の複式筆記具に搭載されるボールペン筆記体に付いて説明する。
尚、ボールペン筆記体１ａと１ｂは同じ構成であり、例えば、インキ色などが異なるものである。
又、ボールペン筆記体に適用されるインキは主として所謂剪断減粘性を有した中粘度水性、低粘度の油性インキである。
【００１３】
チップ１１は、インキ流入可能なチャンネルを有した座に先端ボール１２が略当接した状態で先端ボール１２が回転自在に抱持されるようカシメられている。
又、チップ１１の内孔部にスプリング１４が内挿され、スプリング１４の後端が抜出不能となるようにチップの後端を適宜カシメている。又、先端ボール１２がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。又、スプリング１４の先方は直線状の棒軸部１５となり、その先端が先端ボール１２の背面に押圧状態で当接する。尚、先端ボール１２はその押圧によってチップ１１のボール抱持部（カシメなどで形成）の内縁に密接状態となる。
【００１４】
又、継ぎ手２は先端にチップ１１を圧着する前軸部３とインキ収容管１７ａの前端に圧着される後軸部５が形成され、前軸部３と後軸部５との間がフレキシブルに変位可能な屈曲可能部４で一体に接続された樹脂成形品で形成される。又、継ぎ手２内にはチップ１１の後端に対峙してボール弁１６が遊嵌された弁室７が設けられており、チップ１１が下向きの時には導孔９が開放されてインキ１８がチップ側に導通され、逆に上向きの状態ではボール弁１６が導孔９を密閉してインキの逆流を防止するよう構成されている。
【００１５】
ところで、インキ収容管１７ａの横断面は略Ｄ形（図示せず）を成しており、２本の平坦部を対接した状態で略円形となって後述する軸筒３０の内孔スペースに無駄なく内装する。又、３本の場合はインキ収容管の横断面は円形を１２０度分割した略扇状と成される。又、インキ収容管１７ａ内には上記中粘度の水性又は低粘度の油性インキが充填され、更に、このインキの後端にインキの消耗と共にインキ面に接触して追随して移動可能なグリース状の半透明不乾性物から成るフォロア１９が充填されている。又、フォロア１９内にはフォロアと略同等の比重を有する樹脂製のフォロア棒２０が浸漬されている。
【００１６】
又、上記インキ収容管１７ａの後方外周部に一体にガイドリブ２１ａが形成され、更にそのガイドリブ２１ａの外面に適宜膨出した摺動突部２２ａが形成されている。以上で、ボールペン筆記体１ａは構成される。又、ボールペン筆記体１ｂも同様に構成される。
【００１７】
図１の複式筆記具は、２種のボールペン筆記体と、ボールペン筆記体を収納する軸筒３０と、軸筒３０の後方に回転のみ可能に固定される筒状の操作体３４から成る。又、軸筒３０に対し操作体３４が必要に応じて取り外されて筆記体の交換などを行う。
【００１８】
ところで、軸筒３０のやや後方寄りの外周に２箇所で膨出部３３が形成され、該膨出部３３の前面には凸部３３ｂと凹部３３ａから成る係止部が形成されている。
又、図１及び図２に示すように膨出部３３の後方に筒部３１が延設されて、その筒部３１周面には円周状の突部３２ａと更に後方に、後端に開口する２箇所のスリット部３２ｂが形成され、軸筒３０内に上記ボールペン筆記体１ａ，１ｂが嵌挿されると共に、それぞれのスリット部３２ｂに上記ボールペン筆記体１ａ，１ｂの後方外周部に形成したガイドリブ２１ａ，２１ｂ、摺動突部２２ａ，２２ｂが嵌挿される。
【００１９】
又、図３に示すように操作体３４は後端に閉塞した天冠３６を有した筒体で、筒体の後方外周部一側に基部３８ａで接続されたクリップ３８が前方に延設されている。又、クリップ３８の玉部３９の後面に凸部４０と凹部４１から成る係止部が形成されており、後述する操作体３４の回転に伴うクリップの円周動によって玉部３９の凸部４０が上記膨出部３３の凹部３３ａに係脱する。
又、操作体３４の前端内周に円周状の凹溝３５が形成され、その後方内周に螺旋溝４２が形成されている。又、その後方に天冠３６から延出した環状リブ３７が形成されている。
【００２０】
以上で操作体３４は上記軸筒の筒部３１に嵌装され、凹溝３５に突部３２ａが弾性変形によって係合して、軸筒３０に対し回転可能で抜け止めされる。その時、上記摺動突部２２ａ，２２ｂがそれぞれ螺旋溝４２に弾性変形によって係合されて、軸筒３０に対する操作体３４の回転でボールペン筆記体１ａ，１ｂが交互に前後動して、それぞれの筆記先端部が軸筒の先端口から出没可能となる。その際、上述したようにインキ収容管１７ａ，１７ｂは非変形であるが、屈曲可能部４によってスムーズに作動可能となる。
【００２１】
尚、ボールペン筆記体は上記実施例に示されるもの以外に、インキ誘導芯、インキ吸蔵体を有して構成されるもの、チップと液状インキの間にコレクターと呼ばれるインキ貯溜機構を有するものなどが考えられる。又、インキの蒸発や筆記先端部の乾燥の問題はインキの配合、チップ構造、空気置換構造の工夫で可能と成る。ところで、上記請求項１に言及されるボールペン筆記体はそれを含むものである。
【００２２】
又、図５乃至図８は本発明の第２の実施例を示している。図５に於いて、２本のボールペン筆記体５０ａ、５０ｂが設けられている。以下、第１の実施例との相違点のみ説明する。
【００２３】
図５及び図６に示すように軸筒６０後方孔の内周面６１に螺旋溝６４が形成され、螺旋溝の後端側には軸筒後端に至る連通溝６４ａが設けられている。
又、前記内周面６１で、螺旋溝６４の前端側よりやや前方に段部６２が形成されている。又、軸筒６０後方孔の内周面６１後端近傍に円周状の凹溝６３が形成されている。
以上で、軸筒６０内に上記ボールペン筆記体５０ａ，５０ｂが嵌挿されると共に、ボールペン筆記体５０ａ，５０ｂ後方外周部に設けた摺動突部５２ａ，５２ｂが螺旋溝６４に係合される。その際、ボールペン筆記体５０ａが嵌挿、係合された状態でボールペン筆記体５０ｂが嵌挿され、摺動突部５２ｂを前記連通溝６４ａを通じて容易に螺旋溝６４に係合させることが可能である。
【００２４】
又、図７に示すように、操作体６５は後端に閉塞した天冠６５ａを有した筒体である。又、前記筒体でクリップの基部前方の筒部６６後方周面には円周状の突部６６ａが設けられ、その前方には前端に開口する２箇所のスリット部６６ｂが形成されている。
【００２５】
以上で、軸筒６０の後方孔に上記操作体６５が嵌挿され、突部６６ａが凹溝６３に係合して軸筒６０に対し操作体６５が回転可能で抜け止めされる。又、その際に、それぞれのスリット部６６ｂ，６６ｂに上記ボールペン筆記体５０ａ，５０ｂ後方外周部に設けた摺動突部５２ａ，５２ｂが嵌挿される。
【００２６】
以上で、軸筒６０に対する操作体６５の回転でボールペン筆記体５０ａ，５０ｂが交互に前後動して、それぞれの筆記先端部が軸筒の先端口から出没可能となる。
【００２７】
又、図９乃至図１２は本発明の第３の実施例を示している。図９に於いて、２本のボールペン筆記体７０ａ，７０ｂが設けられている。以下、上記実施例１、２との相違点のみ説明する。
先ず、ボールペン筆記体７０ａ，７０ｂの後方外周部には、適宜膨出した摺動突部７２ａ，７２ｂとその後方にガイド突部７３ａ，７３ｂがそれぞれ形成されている。
【００２８】
図９の複式筆記具は、２種のボールペン筆記体と、ボールペン筆記体を収納する軸筒８０と、軸筒８０の後方に回転のみ可能に固定される筒状の操作体８３から成る。又、軸筒８０に対し操作体８３が必要に応じて取り外されて筆記体の交換などを行う。
又、図９及び図１０に示すように膨出部の後方に筒部８１が延設されて、その筒部８１周面には円周状の突部８２ａが形成されている。又、筒部８１の内周に螺旋溝８２ｂが形成されている。
軸筒８０内に上記ボールペン筆記体７０ａ，７０ｂが嵌挿されると共に、ボールペン筆記体７０ａ，７０ｂの後方外周部に設けた摺動突部７２ａ，７２ｂが螺旋溝８２ｂに弾性変形によって係合される。
【００２９】
又、図１１に示すように操作体８３は後端に閉塞した天冠８５を有した筒体である。又、操作体８３の前端内周に円周状の凹溝８４が形成され、その後方内周に相対応する２箇所で縦溝８６が形成されている。
【００３０】
以上で操作体８３は、上記軸筒の筒部８１に嵌装され、凹溝８４に突部８２ａが弾性変形によって係合して、軸筒８０に対し回転可能で抜け止めされる。その時、上記ボールペン筆記体７０ａ，７０ｂのガイド突部７３ａ，７３ｂがそれぞれ上記縦溝８６に係合されて、軸筒８０に対する操作体８３の回転でボールペン筆記体７０ａ，７０ｂが交互に前後動してそれぞれの筆記先端部が軸筒の先端口から出没可能となる。
【００３１】
【作用】
軸筒３０に対して操作体３４を一方に回転すると、ボールペン筆記体の摺動突部２２ａ，２２ｂが操作体３４の回転に伴い螺旋溝４２に沿って摺動して、何れか一方のボールペン筆記体が前進、他方が後退して、前進側の筆記先端部を軸筒３０の先端口から突出させることが可能となる。又、ボールペン筆記体のインキ収容部が非変形であっても筆記先方部位がフレキシブルに変移するので作動が阻害されずに先端口からスムーズに筆記先端部が出没する。
【００３２】
又、一方のボールペン筆記体１ａが突出した状態に於いては、図１に示すようにクリップの玉部と軸筒周面の膨出部が相互に係合してクリップが胸ポケット等に差せない状態となる。
【００３３】
次に、操作体３４を他方に回転するとボールペン筆記体１ａが後退してその筆記先端部が軸筒３０内に没入すると共にボールペン筆記体１ｂが前進する。
その時、筆記先端部が軸筒３０内に収容された携帯状態となり、その状態に対するクリップは膨出部との係合が解除された位置となって胸ポケット等に容易に差すことが可能となる。
【００３４】
更にキャップ３０を回転するとボールペン筆記体１ａが更に後退し、ボールペン筆記体１ｂが更に前進してその筆記先端部が軸筒３０の先端口から突出する。その状態に対するクリップは玉部と軸筒周面の膨出部が相互に係合してクリップが胸ポケット等に差せない状態となる。
【００３５】
又、ボールペン筆記体１ａは、チップ１１を上向きにした状態に於いて、そのボール弁１６が弁室７のボール受け座８に位置して導孔９を密閉するので、上向き筆記されてチップの先端ボール１２背面のインキがなくなっても、インキにヘッドが掛かり逆流することがない。従って、チップ１１を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００３６】
チップ１１を下向きにした筆記状態に於いては、ボール弁１６がチップ１１後端の一方に偏った状態に当接し、他方にはチップ１１内にインキが流入可能な流路が構成され、インキ収容管１７ａ，１７ｂから導孔９を経て弁室７に入ったインキ１８は先端ボール１２の背面まで誘導される。
この状態で、棒軸部１５の押圧で先端ボール１２がチップ抱持部の内縁に密接されるのでインキの直流が防止される。又、筆圧により先端ボール１２が微小に後退するので隙間を生じてインキが流出可能となり、筆記により先端ボール１２の回転でインキがスムーズに流出され、ボテが無く、筆跡濃度の高い筆記が可能となる。
先端ボール１２の背面にはチャンネル（チップ内孔に向かって貫通したインキ流入溝を複数箇所に有した先端ボールの受け座）がありチャンネルの中心孔には棒軸部１５が貫通する。チップ内のインキはインキ流入溝および中心孔と棒軸部１５との間の隙間を通じて先端ボール１２背面に誘導される。
【００３７】
尚、上記作用は第１の実施例について説明したが、第２、第３の実施例についても同様である。但し、第１の実施例が軸筒に対する操作体の回転で、軸筒内をボールペン筆記体が前後動のみするのに対し、第２、第３の実施例は軸筒に対する操作体の回転で、軸筒内をボールペン筆記体が回転しながら前後動する。
【００３８】
【発明の効果】
本発明の複式筆記具の構成及び作用は以上の如くであり、筆記先端部の耐乾燥性が維持されてシールキャップを外して放置することができ、インキの直流や逆流を防止可能とする機構を有する中粘度の水性、低粘度の油性ボールペンの筆記体を構成し、大形で非変形となるボールペン筆記体を複数本搭載して、筆記先端部がスムーズに出没可能であり、
筆記先端部が突出したままではクリップが胸ポケット等に差せないので、筆記先端部の突出状態が容易に認知されて、筆記先端部のシャープエッジによる人体や衣服の損傷が防止され、且つ、衣服等を汚損する心配の無く、
所用数の筆記体と、キャップ、軸筒の単純な部品で構成されるので安価に提供可能となる。
【図面の簡単な説明】
【図１】本発明の第１の実施例である複式筆記具の全体を示す縦断面図で、一部非断面で示されている。又、２種のボールペン筆記体が搭載されている。
【図２】軸筒部位の後方を示す要部外観図である。
【図３】キャップの断面図である。
【図４】本発明に使用されるボールペン筆記体の縦断面図である。
【図５】本発明の第２の実施例である複式筆記具の全体を示す縦断面図で、一部非断面で示されている。又、２種のボールペン筆記体が搭載されている。
【図６】第２の実施例に於いて、軸筒の後方部位を示す縦断面図である。
【図７】第２の実施例に於いて、操作体の縦断面図である。
【図８】第２の実施例に於いて、使用されるボールペン筆記体の縦断面図である。
【図９】本発明の第３の実施例である複式筆記具の全体を示す縦断面図で、一部非断面で示されている。又、２種のボールペン筆記体が搭載されている。
【図１０】第３の実施例に於いて、軸筒部位の後方を示す要部縦断面図である。
【図１１】第３の実施例に於いて、キャップの断面図である。
【図１２】第３の実施例に於いて、使用されるボールペン筆記体の縦断面図である。
【符号の説明】
１ａ  ボールペン筆記体
１ｂ  ボールペン筆記体
２  継ぎ手
３  前軸部
４  屈曲可能部
５  後軸部
６  鍔部
７  弁室
８  ボール受け座
９  導孔
１０  内孔部
１１  チップ
１２  先端ボール
１３  軸部
１４  スプリング
１５  棒軸部
１６  ボール弁
１７ａ  インキ収容管
１７ｂ  インキ収容管
１８  インキ
１９  フォロア
２０  フォロア棒
２１ａ  ガイドリブ
２１ｂ  ガイドリブ
２２ａ  摺動突部
２２ｂ  摺動突部
３０  軸筒
３１  筒部
３２ａ  突部
３２ｂ  スリット部
３３  膨出部
３３ａ  凹部
３３ｂ  凸部
３４  操作体
３５  凹溝
３６  天冠
３７  環状リブ
３８  クリップ
３８ａ  基部
３９  玉部
４０  凸部
４１  凹部
４２  螺旋溝
５０ａ  ボールペン筆記体
５０ｂ  ボールペン筆記体
５１ａ  インキ収容管
５１ｂ  インキ収容管
５２ａ  摺動突部
５２ｂ  摺動突部
６０  軸筒
６１  内周面
６２  段部
６３  凹溝
６３ａ  段部
６４  螺旋溝
６４ａ  連通溝
６５  操作体
６５ａ  天冠
６６  筒部
６６ａ  突部
６６ｂ  スリット部
６７  クリップ
７０ａ  ボールペン筆記体
７０ｂ  ボールペン筆記体
７１ａ  インキ収容管
７１ｂ  インキ収容管
７２ａ  摺動突部
７２ｂ  摺動突部
７３ａ  ガイド突部
７３ｂ  ガイド突部
８０  軸筒
８１  筒部
８２ａ  突部
８２ｂ  螺旋溝
８３  操作体
８４  凹溝
８５  天冠
８６  縦溝
８７  クリップ
【図１】
0003643184.tif 000002
【図２】
0003643184.tif 000003
【図３】
0003643184.tif 000004
【図４】
0003643184.tif 000005
【図５】
0003643184.tif 000006
【図６】
0003643184.tif 000007
【図７】
0003643184.tif 000008
【図８】
0003643184.tif 000009
【図９】
0003643184.tif 000010
【図１０】
0003643184.tif 000011
【図１１】
0003643184.tif 000012
【図１２】
0003643184.tif 000013